(57)【要約】      （修正有）【課題】コロナウイルス等のウイルスや病原菌が付着したとしてもそれ自体で滅菌、殺菌が可能な睫毛エクステンション装着練習用マネキン顔を提供する。【解決手段】睫毛エクステンション装着練習用マネキン顔１０は、マネキン顔本体１０ａを備え、このマネキン顔本体の、人間の睫毛が生えている箇所と同じ瞼の端部に、睫毛エクステンションを装着するための練習用睫毛１４が植毛された睫毛エクステンション装着練習用マネキン顔であって、マネキン顔本体が、抗菌剤を含有する軟質合成樹脂で形成されている。また、そのマネキン顔本体は、人間の眼窩に相当する部分にパーツ嵌め込み用窪みが形成されたマネキン顔本体部分、および睫毛エクステンションを装着するための練習用睫毛が植毛された睫毛エクステンション装着練習用のパーツ嵌め込み用窪みに着脱可能な目相当パーツ１６から構成され、マネキン顔本体部分、目相当パーツが抗菌剤を含有する軟質合成樹脂で形成されている。【選択図】図２
0003234874.tif 000002
【実用新案登録請求の範囲】
【請求項１】
マネキン顔本体を備え、このマネキン顔本体の、人間の睫毛が生えている箇所と同じ瞼の端部に、睫毛エクステンションを装着するための練習用睫毛が植毛された睫毛エクステンション装着練習用マネキン顔であって、前記マネキン顔本体が、抗菌剤を含有する軟質合成樹脂で形成されていることを特徴とする睫毛エクステンション装着練習用マネキン顔。
【請求項２】
前記マネキン顔本体は、人間の眼窩に相当する部分にパーツ嵌め込み用窪みが形成されたマネキン顔本体部分、および睫毛エクステンションを装着するための練習用睫毛が植毛された睫毛エクステンション装着練習用の前記パーツ嵌め込み用窪みに着脱可能な目相当パーツから構成され、前記マネキン顔本体部分が抗菌剤を含有する軟質合成樹脂で形成されている請求項１の睫毛エクステンション装着練習用マネキン顔。
【請求項３】
前記目相当パーツが抗菌剤を含有する軟質合成樹脂で形成されている請求項１または２の睫毛エクステンション装着練習用マネキン顔。
【請求項４】
前記抗菌剤が有機系抗菌剤である請求項１〜３のいずれかの睫毛エクステンション装着練習用マネキン顔。
【請求項５】
前記有機系抗菌剤が、パラオキシ安息香酸、パラオキシ安息香酸エステル、安息香酸、安息香酸ナトリウム、塩化ベンザルコニウム、塩化ベンゼトニウム、グルコン酸クロルヘキシジン、次亜塩素酸塩の群から選ばれた１種である請求項４の睫毛エクステンション装着練習用マネキン顔。
【請求項６】
前記抗菌剤が無機系抗菌剤である請求項１〜３のいずれかの睫毛エクステンション装着練習用マネキン顔。
【請求項７】
前記無機系抗菌剤が、銀系抗菌剤、銀ゼオライト、銀ガラス、銀リン酸ジルコニウムの群から選ばれた１種である請求項６の睫毛エクステンション装着練習用マネキン顔。
【考案の詳細な説明】
【技術分野】
【０００１】
本考案は、睫毛エクステンション装着練習用マネキン顔を提供する。
【背景技術】
【０００２】
睫毛エクステンション（以下、単にエクステンションと称することがある）は、例えば特許第４９８１９８３号公報に示されているように、人間の睫毛一本一本に装着される。その装着作業は、例えばまつげエクステ技術者等と呼ばれている施術者により行われている。しかしながら、その装着時間には相当の時間を要し。しかも、この装着時には、ピンセット等が用いられて行われるため、危険が伴う。
【０００３】
したがって、その装着には、熟練が必要であり、そのため、十分な練習が必要である。従来は、この練習を、付け睫毛を紙コップやマネキン顔に付け、その付け睫毛の人口毛を用いて行われていた。
【０００４】
しかしながら、従来のように、土台が紙コップでは臨場感に乏しく、かつエクステンションを装着する素材が付け睫毛では、人間の睫毛とはその間隔、配列が大いに異なり、良好な装着練習を行うことができないという問題があった。
【０００５】
そこで、本考案の出願人は、マネキン顔に練習用の睫毛を人間に近い状態で植毛し、これをエクステンション装着用として用いることを考え、これを提案した。このマネキン顔は、エクステンション装着練習用としては、極めて好ましいものではあったが、１回練習を行うと、そのマネキン顔は使い物にならなくならないために、廃棄するか、あるはそのマネキン顔を作成した工場で睫毛を植え直し、再生しなければならないという問題があった。
【０００６】
そこで、本考案の出願人は、実用新案登録第３１７９８５４号で、エクステンション装着用の睫毛が植毛されており、しかもそれを数回にわたって使用できる睫毛エクステンション装着練習用マネキン顔を提供することを目的とし、人間の睫毛が生えている箇所と同じ瞼の端部に、睫毛エクステンションを装着するための練習用睫毛が植毛された睫毛エクステンション装着練習用マネキン顔であって、前記練習用睫毛が植毛された睫毛植毛区域をもつ瞼部分含む目相当パーツが取り替え可能（着脱可能）であって、前記睫毛植毛区域に植毛された練習用睫毛の本数が、人間の睫毛の本数より多い等を特徴とする睫毛エクステンション装着練習用マネキン顔を提案した。
【先行技術文献】
【特許文献】
【０００７】
【特許文献１】特許第４９８１９８３号公報
【特許文献２】実用新案登録第３１７９８５４号公報
【考案の概要】
【考案が解決しようとする課題】
【０００８】
本考案の出願人は、睫毛エクステンション装着練習用マネキン顔として上記のような態様のものを提案したが、このような睫毛エクステンション装着練習用マネキン顔は、美容学校等で生徒の練習用として用いられることが多く、不特定の者が長期に亘って使用されることがあるため（特に、目相当パーツが取り替え可能な場合には、人間の眼窩に相当する部分にパーツ嵌め込み用窪みが形成されたマネキン顔本体部分が繰り返し用いられる）、また近年のコロナ禍で、この睫毛エクステンション装着練習用マネキン顔にあっても衛生面の要求が多々あった。
【０００９】
そこで、本考案は、コロナウイルス等のウイルスや病原菌が付着したとしてもそれ自体で滅菌、殺菌が可能な睫毛エクステンション装着練習用マネキン顔を提供することを目的とする。
【課題を解決するための手段】
【００１０】
本考案の上記課題は、以下の（１）〜（７）の構造の睫毛エクステンション装着練習用マネキン顔によって達成することができる。
（１）
マネキン顔本体を備え、このマネキン顔本体の、人間の睫毛が生えている箇所と同じ瞼の端部に、睫毛エクステンションを装着するための練習用睫毛が植毛された睫毛エクステンション装着練習用マネキン顔であって、前記マネキン顔本体が、抗菌剤を含有する軟質合成樹脂で形成されていることを特徴とする睫毛エクステンション装着練習用マネキン顔。
（２）
前記マネキン顔本体は、人間の眼窩に相当する部分にパーツ嵌め込み用窪みが形成されたマネキン顔本体部分、および睫毛エクステンションを装着するための練習用睫毛が植毛された睫毛エクステンション装着練習用のパーツ嵌め込み用窪みに着脱可能な目相当パーツから構成され、前記マネキン顔本体部分が抗菌剤を含有する軟質合成樹脂で形成されている前記（１）の睫毛エクステンション装着練習用マネキン顔。
（３）
前記目相当パーツが抗菌剤を含有する軟質合成樹脂で形成されている前記（１）または（２）の睫毛エクステンション装着練習用マネキン顔。
（４）
前記抗菌剤が有機系抗菌剤である前記（１）〜（３）のいずれかの睫毛エクステンション装着練習用マネキン顔。
（５）
前記有機系抗菌剤が、パラオキシ安息香酸、パラオキシ安息香酸エステル、安息香酸、安息香酸ナトリウム、塩化ベンザルコニウム、塩化ベンゼトニウム、グルコン酸クロルヘキシジン、次亜塩素酸塩の群から選ばれた１種である前記（４）の睫毛エクステンション装着練習用マネキン顔。
（６）
前記抗菌剤が無機系抗菌剤である前記（１）〜（３）のいずれかの睫毛エクステンション装着練習用マネキン顔。
（７）
前記無機系抗菌剤が、銀系抗菌剤、銀ゼオライト、銀ガラス、銀リン酸ジルコニウムの群から選ばれた１種である前記（６）の睫毛エクステンション装着練習用マネキン顔。
【考案の効果】
【００１１】
本考案の睫毛エクステンション装着練習用マネキン顔においては、それを形成する材料が抗菌剤を含有しているので、練習用マネキン顔が抗菌性を有しているので、保菌した手で前記マネキン顔を取り扱ったとしても、保菌することが無いので、次に使用するものが、該マネキン顔を消毒する事無く、取り扱ったとしても、菌が移行せず安全に取り扱うことができる。
【図面の簡単な説明】
【００１２】
【図１】本考案の実施の形態による睫毛エクステンション装着練習用マネキン顔の平面図である。
【図２】図１のマネキン顔の側面図である。
【図３】図１のマネキン顔において目相当パーツを取り外した状態で示した図である。
【図４】他の実施の形態による睫毛エクステンション装着練習用マネキン顔の平面図である。
【図５】図４のマネキン顔の側面図である。
【考案を実施するための形態】
【００１３】
以下、添付図面を参照しつつ、本考案の実施形態による睫毛エクステンション装着練習用マネキン顔について説明する。ここで睫毛エクステンションとは、人間の睫毛を延長するために用いられる人口睫毛であって、人間の睫毛の一本一本に装着されて使用される。
【００１４】
本考案の実施形態による睫毛エクステンション装着練習用マネキン顔１０は、全体が軟質樹脂、例えばシリコーン樹脂、軟質塩ビ、熱可塑性エラストマーのような人間の肌の感触に近い素材で形成されていることが好ましく、全体としては、臨場感を持たせるため、人間の顔に近い構成配置や凹凸となっている。なお、図２に示したように、本マネキン顔１０の頭部後部は、平坦になっていることが好ましい。この平坦を利用して、マネキン顔１０を平坦な台（机）等の上に配置し、エクステンションの装着練習ができるようにするためである。
【００１５】
このマネキン顔１０には、人間の睫毛が生えている箇所と同じ瞼の端部（睫毛植毛区域１２）に、睫毛エクステンションを装着するための練習用睫毛１４が植毛されている。なお、図３においては、簡単のため、片側の練習用睫毛１４を省略して示した。
【００１６】
このマネキン顔１０は、マネキン顔本体１０ａ、およびこのマネキン顔本体１０ａに対して取り替え（着脱）可能であり、練習用睫毛１４が植毛された睫毛植毛区域１２を備える目相当パーツ１６を備えている。前記マネキン顔本体１０ａには、人間の眼窩に相当する部分にパーツ嵌め込み用窪み１０ｂが形成され、この窪み１０ｂに、前記目相当パーツ１６が着脱自在に嵌め込まれるようになっている。この取り替え用目相当パーツ１６には、前に装着されていた目相当パーツ１６に植毛されていた練習用睫毛１４と同じ練習用睫毛１４が植毛されていても、また後に説明するような別の練習用睫毛１４（別の配列も含む）が植毛されていてもよい。
この取り替え用目相当パーツ１６も、上記したシリコーン樹脂のような人間の肌の感触に近い素材で形成され、マネキン顔本体１０ａに装着されたとき、特別な手段を用いずに、マネキン顔本体１０ａに対して固定されるものが好ましい。
【００１７】
上記練習用睫毛１４は、例えば、合成樹脂（典型的には、ナイロン、ポリプチレンテレフタレート、ポリエステル、アクリル、塩化ビニール）、または天然素材の材料（例えば、動物由来の材料（典型的には、人毛、獣毛（狸、ミンクなどの毛）、または、シルク）、植物由来の材料（典型的には綿））から形成されている。この練習用睫毛１４の素材は、エクステンション（図示せず）の装着練習用になるならどのような素材を用いることも可能である。
【００１８】
上記練習用睫毛１４は、上記睫毛植毛区域１２に人間の睫毛の本数より多く植毛されている。この練習用睫毛１４の本数としては、人間の睫毛の本数の２倍から６倍、特に３倍から５倍が好ましい。
【００１９】
上記睫毛植毛区域１２においては、練習用睫毛１４は、ランダムに配置されて植毛されていてもよいが、人間の睫毛のように睫毛列として構成されて植毛されていることが好ましい。この睫毛列は、人間の睫毛列の睫毛配列構造と同じか近似する睫毛列が植毛されていることが好ましい。すなわち、人間の睫毛列においては、睫毛が単に一直線に並んでおらず、ジグザグに並んでいる場合のほうがむしろ一般的であるので、そのように配置してもよい。
【００２０】
そして、この睫毛列は、複数列、特に前記瞼の端部と直角な方向に複数層、例えば複数列配列されていることが好ましい。
【００２１】
この睫毛列は、人間の睫毛列の睫毛植毛配列構造すなわち睫毛の植毛配置構造（睫毛同士の間隔等の植毛分布）と同じか近似する睫毛列となっていることが好ましい。この植毛配置構造は、人種等によって異なるので、練習用のためには、それらが異なった目相当パーツを種々準備することが好ましい。
練習のため、睫毛列内で、練習用睫毛１４の太さや植毛分布を変化させてもよい。
【００２２】
また、睫毛の太さやこしは、年、人種等によって異なるので、それらが異なった目相当パーツを準備することが好ましい。
【００２３】
以上説明した実施の形態では、目相当パーツがマネキン顔本体から離脱できる形態のものを説明したが、図４および図５に示したように、目相当部分がマネキン顔本体と一体になっている（分離できない）形態のものであってもよい。
【００２４】
以上説明したように、マネキン顔、練習用睫毛は所定の特性を持つ樹脂（合成樹脂）材料で形成されるが、本発明のマネキン顔（マネキン顔本体、目相当パーツ）、練習用睫毛を形成する材料である樹脂（合成樹脂）は、抗菌剤を含有している。特に、マネキン顔本体は、美容学校やエステ店の練習で、繰り返し使用され、かつ共用され、いろいろな人が使用される可能性があるので、材料に抗菌剤を含有させ抗菌性を持たせることは重要である。
【００２５】
使用する抗菌剤としては、特に人間に害を与えるような物質でなければどのようなものであってもよく、有機系抗菌剤、無機系抗菌剤、
合成系抗菌剤を用いることができる。
【００２６】
前記有機系抗菌剤としては、パラオキシ安息香酸、パラオキシ安息香酸エステル、安息香酸、安息香酸ナトリウム、塩化ベンザルコニウム、塩化ベンゼトニウム、グルコン酸クロルヘキシジン、次亜塩素酸塩の群から選ばれた１種を好ましく用いることができるが、他の有機系のものであってもよい。
【００２７】
前記無機系抗菌剤としては、銀系抗菌剤、銀ゼオライト、銀ガラス、銀リン酸ジルコニウムの群から選ばれた１種を好ましく用いることができるが、チタン系、白金系、銅系のものも用いることができる。
【００２８】
練習にあたっては、練習者が、一方の手（手の平をマネキン顔１０のおでこの部分に載せた状態で）で把持したピンセットでエクステンションを装着すべき練習用睫毛１４一本を取り分け、これに、他方の手（手の平をマネキン顔１０のおでこの部分に載せた状態で）で把持したピンセットで把持したエクステンションを装着する。この装着には、例えば、グルーと呼ばれる接着剤が用いられる。
【００２９】
以上説明したように、本考案のマネキン顔は材料に抗菌性を持たせたので、保菌することなく清潔に保たれ、共用しても安心、安全に使用することができる。
【符号の説明】
【００３０】
１０  睫毛エクステンション装着練習用マネキン顔
１０ａ  マネキン顔本体
１２  睫毛植毛区域
１４  練習用睫毛
１６  目相当パーツ
【図１】
0003234874.tif 000003
【図２】
0003234874.tif 000004
【図３】
0003234874.tif 000005
【図４】
0003234874.tif 000006
【図５】
0003234874.tif 000007